(57)【特許請求の範囲】
【請求項１】
回動中心ダボと開閉駆動ダボと絞り開口形成縁部を有する複数枚の絞り羽根を有し、
円周方向に離間させて配置した上記複数枚の絞り羽根を、上記開閉駆動ダボを介して上記回動中心ダボを中心に回動させ、上記複数枚の絞り羽根の重なりの程度を変化させて該複数枚の絞り羽根の絞り開口形成縁部によって形成される絞り開口の径を変化させる絞り装置において、
上記複数枚の絞り羽根は、その絞り開口形成縁部の形状が異なる複数セットが用意されていること、
上記複数セットの絞り羽根の絞り開口形成縁部の形状は、上記絞り開口の径を変化させるに際し、上記複数の絞り羽根セットのうち、絞り開口を形成する絞り羽根セットが切り替わるように設定されていること、及び
いずれかのセットの絞り羽根の絞り開口形成縁部が絞り開口を形成しているとき、残りのセットの絞り羽根の絞り開口形成縁部は絞り開口を形成しないこと、
を特徴とする絞り装置。
【請求項２】
請求項１記載の絞り装置において、
上記複数の絞り羽根セットの開閉駆動ダボがそれぞれ嵌まる複数種類のカム溝を形成した円板状カム板を有し、この円板状カム板の複数種類のカム溝の形状は、上記絞り開口の径を変化させるに際し、上記複数の絞り羽根セットのうち、絞り開口を形成する絞り羽根セットが切り替わるように設定されていることを特徴とする絞り装置。
【請求項３】
請求項１または２記載の絞り装置において、
上記複数セットの絞り羽根の絞り開口形成縁部の形状は、各セットの絞り羽根の絞り開口形成縁部が絞り開口を形成しているときに、それぞれ最も真円に近いポイントを持つように設定されていることを特徴とする絞り装置。
【請求項４】
請求項１ないし３のいずれか１項記載の絞り装置において、
上記絞り羽根セットは２種類が用意されていること、
全ての絞り羽根の回動中心ダボと開閉駆動ダボは互いに反対の方向に突出していること、
全ての絞り羽根の回動中心ダボが嵌まる回動中心穴を形成した円板状回動中心板が備えられていること、及び
２種類の絞り羽根セットの開閉駆動ダボがそれぞれ嵌まる２種類のカム溝を円周方向に交互に形成した、上記円板状回動中心板に対して相対回転可能な円板状カム板が備えられていることを特徴とする絞り装置。
【請求項５】
請求項４記載の絞り装置において、
上記絞り開口の径を変化させるに際し、上記絞り開口の最大径と最小径の略中間径において、上記２種類の絞り羽根セットのうち絞り開口を形成する絞り羽根セットが切り替わることを特徴とする絞り装置。
【請求項６】
請求項１ないし３のいずれか１項記載の絞り装置において、
上記絞り羽根セットは２種類が用意されていること、
上記２種類の絞り羽根セットの開閉駆動ダボがそれぞれ嵌まる２種類のカム溝を交互に形成した円板状カム板を有すること、及び
上記２種類の絞り羽根セットは上記円板状カム板を挟んだ表裏に位置することを特徴とする絞り装置。
【請求項７】
請求項１ないし３のいずれか１項記載の絞り装置において、
絞り羽根セットは２種類が用意されていること、
第１の絞り羽根セットの絞り羽根の回動中心ダボと、第２の絞り羽根セットの絞り羽根の回動中心ダボは互いに反対方向に突出しており、全ての絞り羽根の開閉駆動ダボは回動中心ダボとは反対方向に突出していること、
第１の絞り羽根セットの開閉駆動ダボが嵌まるカム溝と、第２の絞り羽根セットの開閉駆動ダボが嵌まるカム溝とを円周方向に交互に形成した円板状カム板が備えられていること、
上記円板状カム板を挟んで、第１の絞り羽根セット用の第１円板状回動中心板と、第２の絞り羽根セット用の第２円板状回動中心板とが備えられ、この第１、第２の円板状回動中心板にそれぞれ、第１、第２の絞り羽根セットの絞り羽根の回動中心ダボが回動自在に嵌まる回動中心穴が形成されていること、及び
第１、第２の円板状回動中心板は、円板状カム板に対して相対回動することを特徴とする絞り装置。
【発明の詳細な説明】
【技術分野】
【０００１】
本発明は、カメラレンズその他で光量を制御するために用いる、複数枚の絞り羽根を有する絞り装置に関する。
【背景技術】
【０００２】
この種の絞り装置は、複数枚の絞り羽根にそれぞれ回動中心ダボ（ピン）と開閉駆動ダボ（ピン）が備えられており、これらの複数枚の絞り羽根を同一円周上に等角度間隔で配置した上で、開閉駆動ダボを介して回動中心ダボを中心に回動させることで、複数枚の絞り羽根の重なりの程度を変化させ、複数枚の絞り羽根の絞り開口形成縁部によって形成される絞り開口の大きさを変化させている。具体的には、回動中心ダボは、円板状回動中心板に等角度間隔で形成した回動中心穴に嵌められ、開閉駆動ダボは、この円板状回動中心板に対して相対回動可能な円板状カム板に形成したカム溝に嵌められる。
【先行技術文献】
【特許文献】
【０００３】
【特許文献１】特開昭６３−８６３８号公報
【特許文献２】特開２００３−５２４８号公報
【特許文献３】特開２００９−２７１４０２号公報
【発明の概要】
【発明が解決しようとする課題】
【０００４】
このような絞り装置の絞り羽根形状（絞り開口形成縁部の形状）は、特定の径（特定のサイズ）の絞り開口のときに真円に近い形になるように設定されており、その特定の径の絞り開口以外では、その特定の径から離れる程、円形から離れていく(円形ではなくなる)ことが避けられない。しかし、カメラレンズでいうと、絞り開口は、円形に近いほど、ボケ像がきれいになることが知られており、また、ゴーストとして絞り開口が画面に表れるとき、円形のフレアの方が非円形のフレアより美しい。
【０００５】
また、従来の絞り装置にあっては、絞り開口の形状を円形に近づけるべく絞り羽根の枚数を多くすればする程、絞り開口の径（サイズ）が小さくなるに従って、複数枚の絞り羽根が重なり合って競り上がる。複数枚の絞り羽根が競り上がると、絞り動作が鈍くなる、絞り羽根の塗装が剥げてこの塗装が剥げた部分の内面反射により良好な写真が撮れなくなるといった不都合が生じて好ましくない。
【０００６】
本発明は、以上の問題意識に基づき、より広い範囲の絞り開口の径（サイズ）において絞り開口形状を円形に近くすることができ、絞り開口の径（サイズ）が小さくなっても複数枚の絞り羽根が競り上がるのを防止することができる絞り装置を得ることを目的とする。
【課題を解決するための手段】
【０００７】
本発明は、複数枚の絞り羽根として絞り開口形成縁部の形状が異なる複数セットを用意し、この複数セットの絞り羽根の絞り開口形成縁部の形状を、絞り装置全体としての絞り開口の径を変化させるに際し、複数の絞り羽根セットのうち絞り開口を形成する絞り羽根セットが切り替わるように設定し（複数の絞り羽根セットがそれぞれ異なる特定範囲の径において絞り開口を形成するように設定し）、いずれかのセットの絞り羽根の絞り開口形成縁部が絞り開口を形成しているとき、残りのセットの絞り羽根の絞り開口形成縁部が絞り開口を形成しないようにすれば、複数セットの絞り羽根のうち最も円形に近い絞り開口セットを絞り開口の径（サイズ）に応じて切り替えて使用することができるため、より広い範囲の絞り開口の径（サイズ）において絞り開口形状を円形に近くすることができ、また、絞り開口を形成しない残りの絞り羽根セットを絞り開口から離して位置させることができるため、絞り開口の径（サイズ）が小さくなっても複数枚の絞り羽根が競り上がるのを防止することができるとの着眼に基づいて完成されたものである。
【０００８】
すなわち、本発明の絞り装置は、回動中心ダボと開閉駆動ダボと絞り開口形成縁部を有する複数枚の絞り羽根を有し、円周方向に離間させて配置した上記複数枚の絞り羽根を、上記開閉駆動ダボを介して上記回動中心ダボを中心に回動させ、上記複数枚の絞り羽根の重なりの程度を変化させて該複数枚の絞り羽根の絞り開口形成縁部によって形成される絞り開口の径を変化させる絞り装置において、上記複数枚の絞り羽根は、その絞り開口形成縁部の形状が異なる複数セットが用意されていること、上記複数セットの絞り羽根の絞り開口形成縁部の形状は、上記絞り開口の径を変化させるに際し、上記複数の絞り羽根セットのうち、絞り開口を形成する絞り羽根セットが切り替わるように設定されていること、及びいずれかのセットの絞り羽根の絞り開口形成縁部が絞り開口を形成しているとき、残りのセットの絞り羽根の絞り開口形成縁部は絞り開口を形成しないことを特徴としている。
【０００９】
本発明の絞り装置は、具体的には、上記複数の絞り羽根セットの開閉駆動ダボがそれぞれ嵌まる複数種類のカム溝を形成した円板状カム板を有し、この円板状カム板の複数種類のカム溝の形状は、上記絞り開口の径を変化させるに際し、上記複数の絞り羽根セットのうち、絞り開口を形成する絞り羽根セットが切り替わるように設定されていることを特徴としている。
【００１０】
本発明の絞り装置は、具体的には、上記複数セットの絞り羽根の絞り開口形成縁部の形状は、各セットの絞り羽根の絞り開口形成縁部が絞り開口を形成しているときに、それぞれ最も真円に近いポイントを持つように設定されていることを特徴としている。
【００１１】
本発明の絞り装置は、具体的には、上記絞り羽根セットは２種類が用意されていること、全ての絞り羽根の回動中心ダボと開閉駆動ダボは互いに反対の方向に突出していること、全ての絞り羽根の回動中心ダボが嵌まる回動中心穴を形成した円板状回動中心板が備えられていること、及び２種類の絞り羽根セットの開閉駆動ダボがそれぞれ嵌まる２種類のカム溝を円周方向に交互に形成した、上記円板状回動中心板に対して相対回転可能な円板状カム板が備えられていることを特徴としている。
【００１２】
本発明の絞り装置は、具体的には、上記絞り開口の径を変化させるに際し、上記絞り開口の最大径と最小径の略中間径において、上記２種類の絞り羽根セットのうち絞り開口を形成する絞り羽根セットが切り替わることを特徴としている。
【００１３】
本発明の絞り装置は、別の具体例では、上記絞り羽根セットは２種類が用意されていること、上記２種類の絞り羽根セットの開閉駆動ダボがそれぞれ嵌まる２種類のカム溝を交互に形成した円板状カム板を有すること、及び上記２種類の絞り羽根セットは上記円板状カム板を挟んだ表裏に位置することを特徴としている。
【００１４】
本発明の絞り装置は、さらに別の具体例では、絞り羽根セットは２種類が用意されていること、第１の絞り羽根セットの絞り羽根の回動中心ダボと、第２の絞り羽根セットの絞り羽根の回動中心ダボは互いに反対方向に突出しており、全ての絞り羽根の開閉駆動ダボは回動中心ダボとは反対方向に突出していること、第１の絞り羽根セットの開閉駆動ダボが嵌まるカム溝と、第２の絞り羽根セットの開閉駆動ダボが嵌まるカム溝とを円周方向に交互に形成した円板状カム板が備えられていること、上記円板状カム板を挟んで、第１の絞り羽根セット用の第１円板状回動中心板と、第２の絞り羽根セット用の第２円板状回動中心板とが備えられ、この第１、第２の円板状回動中心板にそれぞれ、第１、第２の絞り羽根セットの絞り羽根の回動中心ダボが回動自在に嵌まる回動中心穴が形成されていること、及び第１、第２の円板状回動中心板は、円板状カム板に対して相対回動することを特徴している。
【発明の効果】
【００１５】
本発明によれば、より広い範囲の絞り開口の径（サイズ）において絞り開口形状を円形に近くすることができ、絞り開口の径（サイズ）が小さくなっても複数枚の絞り羽根が競り上がるのを防止することができる絞り装置が得られる。
【図面の簡単な説明】
【００１６】
【図１】本発明の実施の形態１に係る絞り装置を示す分解斜視図である。
【図２】円板状回動中心板の構成を示す平面図である。
【図３】円板状カム板の構成を示す平面図である。
【図４】２種類の絞り羽根（絞り羽根セット）の構成を対比して示す平面図である。
【図５】円板状回動中心板と円板状カム板の間に絞り羽根を保持した状態を示す断面図である。
【図６】絞り開口の径（サイズ）が最大の場合の２種類の絞り羽根（絞り羽根セット）の回動位置を対比して示す図である。
【図７】絞り開口の径（サイズ）が最小の場合の２種類の絞り羽根（絞り羽根セット）の回動位置を対比して示す図である。
【図８】絞り開口の径（サイズ）を変化させた場合の有効な絞り開口形状の移り変わりを、２種類の絞り羽根セットのそれぞれがなす絞り開口形状の移り変わりと対比して説明する図である。
【図９】本発明の実施の形態２に係る絞り装置を示す分解斜視図である。
【図１０】２種類の絞り羽根（絞り羽根セット）の別の構成を対比して示す平面図である。
【発明を実施するための形態】
【００１７】
（実施の形態１）
図１ないし図８を用いて、本発明の実施の形態１に係る絞り装置１を説明する。絞り装置１は、カメラレンズやプロジェクタ等の光学機器（図示せず）に搭載されて、透過光量を制御するために使用される。符号Ｏは、この光学機器の撮影光軸（つまり絞り装置１の開口の中心）を示している。
【００１８】
図１に示すように、絞り装置１は、互いに相対回転可能な円板状回動中心板１０と円板状カム板２０の間に、１４枚の絞り羽根３０を保持してなる。
【００１９】
図１、図２に示すように、円板状回動中心板１０は、その中央部に光束を通過させる円形の光束通過開口１１を有する。この光束通過開口１１の周囲には、絞り羽根３０を収容する収容凹部１２が形成され、この収容凹部１２の周囲には、円板状カム板２０の外周縁が当接する円形段部１３が形成されている。収容凹部１２には、１４枚の絞り羽根３０に対応させて、周方向に等角度間隔で１４個の回動中心穴１４が形成されている。
【００２０】
円板状カム板２０は、円板状回動中心板１０との間に保持した絞り羽根３０を駆動するための駆動部材であり、その外周縁が円板状回動中心板１０の円形段部１３に、円板状回動中心板１０と相対回転可能に嵌合されている。図１、図３に示すように、円板状カム板２０は、その中央部に光束を通過させる円形の光束通過開口２１を有する。この光束通過開口２１の周囲には、２種類の形状のカム溝２２と２３が７個ずつ、円周方向に交互に合計１４個形成されている。カム溝２２は、絞り開口形成面２２Ａと絞り開口非形成面２２Ｂとからなるくの字形状を有しており、カム溝２３は、絞り開口非形成面２３Ａと絞り開口形成面２３Ｂとからなるくの字形状を有している。
【００２１】
図１、図４に示すように、絞り羽根３０は、透過光量を制御するための可変開口絞りＶＡを形成するものである。絞り羽根３０の絞り開口の最大径（最大サイズ）は、円板状回動中心板１０の光束通過開口１１及び円板状カム板２０の光束通過開口２１の径（サイズ）よりも大きくなるように設定されている。従って、絞り羽根３０を開放（機械的端点）した状態（Ｆナンバーが最小の状態）では、円板状回動中心板１０の光束通過開口１１及び円板状カム板２０の光束通過開口２１によって可変開口絞りＶＡが形成される。一方、絞り羽根３０を開放（機械的端点）した状態から絞っていくと（Ｆナンバーを大きくしていくと）、絞り羽根３０の絞り開口の径（サイズ）が円板状回動中心板１０の光束通過開口１１及び円板状カム板２０の光束通過開口２１の径（サイズ）よりも小さくなり、絞り羽根３０によって可変開口絞りＶＡが形成される。絞り羽根３０は、円板状カム板２０の２種類の形状のカム溝２２と２３に対応させて、２種類の形状の第１の絞り羽根３２と第２の絞り羽根３３を７枚ずつ、円周方向に交互に離間して配置してなる。以下では、７枚の第１の絞り羽根３２を「第１の絞り羽根セット３２」と呼び、７枚の第２の絞り羽根３３を「第２の絞り羽根セット３３」と呼ぶ。
【００２２】
第１の絞り羽根セット３２と第２の絞り羽根セット３３（１４枚の全ての絞り羽根３０）にはそれぞれ、円板状回動中心板１０の側に突出させて、円板状回動中心板１０の回動中心穴１４に回動自在に嵌まる回動中心ダボ３２Ａと３３Ａが形成されている。
【００２３】
第１の絞り羽根セット３２には、円板状カム板２０の側（回動中心ダボ３２Ａの反対側）に突出させて、円板状カム板２０のカム溝２２に嵌まる開閉駆動ダボ３２Ｂが形成されている。第２の絞り羽根セット３３には、円板状カム板２０の側（回動中心ダボ３３Ａの反対側）に突出させて、円板状カム板２０のカム溝２３に嵌まる開閉駆動ダボ３３Ｂが形成されている。
【００２４】
第１の絞り羽根セット３２は、絞り開口の径（サイズ）が最大径（最大サイズ）から中間径（中間サイズ）の間において最も円形に近い形状の絞り開口を形成する絞り開口形成縁部３２Ｃを有している。第１の絞り羽根セット３２の絞り開口の最大径（最大サイズ）は、円板状回動中心板１０の光束通過開口１１及び円板状カム板２０の光束通過開口２１の径（サイズ）よりも大きくなるように設定されている。従って、第１の絞り羽根セット３２の絞り開口の径が最大径であるときは、円板状回動中心板１０の光束通過開口１１及び円板状カム板２０の光束通過開口２１が可変開口絞りＶＡを形成する。第１の絞り羽根セット３２は、その絞り開口の径が最大径の状態を除き、開閉駆動ダボ３２Ｂがカム溝２２の絞り開口形成面２２Ａを移動しているときは、有効な光量制限絞り開口を形成し、絞り開口の径を最大径から中間径の間で変化させる。第１の絞り羽根セット３２は、その開閉駆動ダボ３２Ｂがカム溝２２の絞り開口非形成面２２Ｂを移動しているときは、有効な光量制限絞り開口を形成せず、絞り開口の径を殆ど変化させない。つまり、絞り開口の径が最小径であるときは、絞り開口形成縁部３２Ｃは、可変開口絞りＶＡの形成に関与せず、第２の絞り羽根セット３３（絞り開口形成縁部３３Ｃ）により形成された可変開口絞りＶＡの外側で停止（待機）する（図７）。
【００２５】
第２の絞り羽根セット３３は、絞り開口の径（サイズ）が中間径（中間サイズ）から最小径（最小サイズ）の間において最も円形に近い形状の絞り開口を形成する絞り開口形成縁部３３Ｃを有している。第２の絞り羽根セット３３は、その開閉駆動ダボ３３Ｂがカム溝２３の絞り開口非形成面２３Ａを移動しているときは、有効な光量制限絞り開口を形成せず、絞り開口の径を殆ど変化させない。第２の絞り羽根セット３３は、その開閉駆動ダボ３３Ｂがカム溝２３の絞り開口形成面２３Ｂを移動しているときは、有効な光量制限絞り開口を形成し、絞り開口の径を中間径から最小径の間で変化させる。従って、例えば絞り開口の径が最大径であるときは、絞り開口形成縁部３３Ｃは、可変開口絞りＶＡの形成に関与せず、円板状回動中心板１０の光束通過開口１１及び円板状カム板２０の光束通過開口２１によって形成された可変開口絞りＶＡの外側で停止（待機）し（図６）、絞り開口の径が最小径であるときは、絞り開口形成縁部３３Ｃが可変開口絞りＶＡを形成する（図７）。
【００２６】
以上の構成の絞り装置１を使用するときは、図５に示すように、第１の絞り羽根セット３２と第２の絞り羽根セット３３（１４枚の全ての絞り羽根３０）の回動中心ダボ３２Ａと３３Ａを円板状回動中心板１０の回動中心穴１４に回動自在に嵌め、第１の絞り羽根セット３２と第２の絞り羽根セット３３の開閉駆動ダボ３２Ｂと３３Ｂを円板状カム板２０のカム溝２２と２３にそれぞれ嵌め、駆動部材である円板状カム板２０の外周縁を円板状回動中心板１０の円形段部１３に、円板状回動中心板１０と相対回転可能に嵌合する。この状態で円板状回動中心板１０と円板状カム板２０を相対回転させると、第１の絞り羽根セット３２と第２の絞り羽根セット３３が、開閉駆動ダボ３２Ｂと３３Ｂを介して回動中心ダボ３２Ａと３３Ａを中心に回動して、第１の絞り羽根セット３２と第２の絞り羽根セット３３の重なりの程度を変化させて可変開口絞りＶＡの径を変化させることにより、透過光量が制御される。円板状回動中心板１０と円板状カム板２０の相対回転は、例えば、円板状回動中心板１０と円板状カム板２０を貫通する図示しないレバーや長孔等を利用した周知の技術を用いて行うことができる。
【００２７】
図８を参照して、可変開口絞りＶＡの径を最大径（例えばＦナンバーが５．６）から最小径（例えばＦナンバーが３２）まで絞っていく場合の絞り装置１の動作を説明する。可変開口絞りＶＡが最大径のとき、第１の絞り羽根セット３２の開閉駆動ダボ３２Ｂはカム溝２２の絞り開口形成面２２Ａに嵌まっており、第２の絞り羽根セット３３の開閉駆動ダボ３３Ｂはカム溝２３の絞り開口非形成面２３Ａに嵌まっている。この状態では、円板状回動中心板１０の光束通過開口１１及び円板状カム板２０の光束通過開口２１によって可変開口絞りＶＡが形成される。
【００２８】
この状態で円板状回動中心板１０と円板状カム板２０を相対回転させると、第１の絞り羽根セット３２の開閉駆動ダボ３２Ｂがカム溝２２の絞り開口形成面２２Ａを移動し、第２の絞り羽根セット３３の開閉駆動ダボ３３Ｂがカム溝２３の絞り開口非形成面２３Ａを移動する。すなわち、第１の絞り羽根セット３２の絞り開口形成縁部３２Ｃが有効な光量制限絞り開口を形成しながら可変開口絞りＶＡの径を徐々に絞っていき、第２の絞り羽根セット３３（絞り開口形成縁部３３Ｃ）は、有効な光量制限絞り開口を形成しない範囲内で、第１の絞り羽根セット３２（絞り開口形成縁部３２Ｃ）により形成された可変開口絞りＶＡの外側で僅かに動く（Ｆナンバーが５．６から９．５の間）。
【００２９】
やがて可変開口絞りＶＡの径が中間径（例えばＦナンバーが９．５から１１の間）に到達すると、第１の絞り羽根セット３２（絞り開口形成縁部３２Ｃ）と第２の絞り羽根セット３３（絞り開口形成縁部３３Ｃ）が協働して有効な光量制限絞り開口を形成した状態となる。つまり、第１の絞り羽根セット３２と第２の絞り羽根セット３３の切り替わりの瞬間には、第１の絞り羽根セット３２と第２の絞り羽根セット３３が協働して、各７枚の第１の絞り羽根セット３２と絞り羽根セット３３を合わせた１４枚の全ての絞り羽根によって有効な光量制限絞り開口が形成される。さらに可変開口絞りＶＡの径が中間径よりも小さくなると、第１の絞り羽根セット３２の開閉駆動ダボ３２Ｂがカム溝２２の絞り開口形成面２２Ａから絞り開口非形成面２２Ｂを移動し、第２の絞り羽根セット３３の開閉駆動ダボ３３Ｂがカム溝２３の絞り開口非形成面２３Ａから絞り開口形成面２３Ｂを移動する。
【００３０】
そして可変開口絞りＶＡの径が最小径に到達するまで、第２の絞り羽根セット３３の絞り開口形成縁部３３Ｃが有効な光量制限絞り開口を形成しながら可変開口絞りＶＡの径を徐々に絞っていき、第１の絞り羽根セット３２（絞り開口形成縁部３２Ｃ）は、有効な光量制限絞り開口を形成しない範囲内で、第２の絞り羽根セット３３（絞り開口形成縁部３３Ｃ）により形成された可変開口絞りＶＡの外側で僅かに動く（Ｆナンバーが１１から３２の間）。
【００３１】
可変開口絞りＶＡの径が最大径から中間径の間で（例えばＦナンバーが８程度のとき）、第１の絞り羽根セット３２（絞り開口形成縁部３２Ｃ）により形成される可変開口絞りＶＡは極めて円形に近い形状（真円形状）となり、その近辺の径でも円形に近い形状となる。また、可変開口絞りＶＡの径が中間径から最小径の間で（例えばＦナンバーが２２程度のとき）、第２の絞り羽根セット３３（絞り開口形成縁部３３Ｃ）により形成される可変開口絞りＶＡは極めて円形に近い形状（真円形状）となり、その近辺の径でも円形に近い形状となる。
【００３２】
従って、本実施の形態１の絞り装置１により可変開口絞りＶＡの径を最大径（例えばＦナンバーが５．６）から最小径（例えばＦナンバーが３２）まで絞っていくときには、第１の絞り羽根セット３２と第２の絞り羽根セット３３によって、可変開口絞りＶＡが極めて円形に近い形状（真円形状）となるポイントが２箇所（例えばＦナンバーが８程度のポイントと２２程度のポイント）存在することになる。これにより、可変開口絞りが極めて円形に近い形状（真円形状）となるポイントが１箇所しか存在しない従来技術と比べて、絞り全域に亘って円形に近い形状の可変開口絞りＶＡを得ることができる。
【００３３】
このように本実施の形態１によれば、２種類の形状の第１の絞り羽根セット３２と第２の絞り羽根セット３３を、可変開口絞りＶＡの径が最大径から中間径の間では第１の絞り羽根セット３２（絞り開口形成縁部３２Ｃ）が有効な光量制限絞り開口を形成し、可変開口絞りＶＡの径が中間径から最小径の間では第２の絞り羽根セット３３（絞り開口形成縁部３３Ｃ）が有効な光量制限絞り開口を形成するように切り替えて使用するため、より広い範囲の絞り開口の径において絞り開口形状を円形に近くすることができる。また、有効な光量制限絞り開口を形成しない残りの絞り羽根セットを可変開口絞りＶＡから離れた位置に位置させることができるため、絞り開口の径が小さくなっても複数枚の絞り羽根が競り上がるのを防止することができる。
【００３４】
（実施の形態２）
図９、図１０を用いて、本発明の実施の形態２に係る絞り装置２を説明する。実施の形態１と同一の構成要素には同一の符号を付している。
【００３５】
絞り装置２は、互いに相対回転不能な第１の円板状回動中心板４０と第２の円板状回動中心板５０の間に、円板状カム板２０と１４枚の絞り羽根３０を、第１の絞り羽根セット３２と第２の絞り羽根セット３３が円板状カム板２０を介して互いに反対側に位置するように保持してなる。すなわち、第１の円板状回動中心板４０と円板状カム板２０の間に第１の絞り羽根セット３２が位置し、第２の円板状回動中心板５０と円板状カム板２０の間に第２の絞り羽根セット３３が位置している。
【００３６】
図９、図１０に示すように、第１の絞り羽根セット３２の回動中心ダボ３２Ａと第２の絞り羽根セット３３の回動中心ダボ３３Ａは、第１の円板状回動中心板４０と第２の円板状回動中心板５０の側に向けて、互いに反対方向に突出している。また、第１の絞り羽根セット３２と第２の絞り羽根セット３３（１４枚の全ての絞り羽根３０）の開閉駆動ダボ３２Ｂと３３Ｂは、円板状カム板２０に向けて、回動中心ダボ３２Ａと３３Ａとは反対方向に突出している。
【００３７】
第１の円板状回動中心板４０は、その中央部に光束を通過させる円形の光束通過開口４１を有する。この光束通過開口４１の周囲には、第１の絞り羽根セット３２を収容する収容凹部４２が形成され、この収容凹部４２の周囲には、円板状カム板２０の外周縁が当接する小径円形段部４３が形成され、この小径円形段部４３の周囲には、第２の円板状回動中心板５０の外周縁が相対回転不能に嵌合される大径円形段部４４が形成されている。収容凹部４２には、第１の絞り羽根セット３２の回動中心ダボ３２Ａに対応させて、周方向に等角度間隔で７個の回動中心穴４５が形成されている。
【００３８】
第２の円板状回動中心板５０は、その中央部に光束を通過させる円形の光束通過開口５１を有する。この光束通過開口５１の周囲には、第２の絞り羽根セット３３を収容する収容凹部５２が形成され、この収容凹部５２には、第２の絞り羽根セット３３の回動中心ダボ３３Ａに対応させて、周方向に等角度間隔で７個の回動中心穴５３が形成されている。
【００３９】
円板状カム板２０は、実施の形態１と同様の構成を有していて、そのカム溝２２に第１の絞り羽根セット３２の開閉駆動ダボ３２Ｂが嵌まり、そのカム溝２３に第２の絞り羽根セット３３の開閉駆動ダボ３３Ｂが嵌まる。
【００４０】
以上の構成の絞り装置２を使用するときは、第１の絞り羽根セット３２の回動中心ダボ３２Ａを第１の円板状回動中心板４０の回動中心穴４５に回動自在に嵌め、第２の絞り羽根セット３３の回動中心ダボ３３Ａを第２の円板状回動中心板５０の回動中心穴５３に回動自在に嵌め、円板状カム板２０の外周縁を第１の円板状回動中心板４０の小径円形段部４３に当接させて第１の絞り羽根セット３２の開閉駆動ダボ３２Ｂを円板状カム板２０のカム溝２２に嵌め、第２の円板状回動中心板５０の外周縁を第１の円板状回動中心板５０の大径円形段部４４に相対回転不能に嵌合して第２の絞り羽根セット３３の開閉駆動ダボ３３Ｂを円板状カム板２０のカム溝２３に嵌める。この状態で、円板状カム板２０を第１の円板状回動中心板４０と第２の円板状回動中心板５０に対して相対回動させる。すると、第１の絞り羽根セット３２と第２の絞り羽根セット３３が、開閉駆動ダボ３２Ｂと３３Ｂを介して回動中心ダボ３２Ａと３３Ａを中心に回動して、第１の絞り羽根セット３２と第２の絞り羽根セット３３の重なりの程度が変化して可変開口絞りＶＡの径が変化することにより、透過光量が制御される。第１の円板状回動中心板４０及び第２の円板状回動中心板５０と円板状カム板２０との相対回転は、例えば、第１の円板状回動中心板４０及び第２の円板状回動中心板５０と円板状カム板２０を貫通する図示しないレバーや長孔等を利用した周知の技術を用いて行うことができる。
【００４１】
本実施の形態２も実施の形態１と同様に、２種類の形状の第１の絞り羽根セット３２と第２の絞り羽根セット３３を、可変開口絞りＶＡの径が最大径から中間径の間では第１の絞り羽根セット３２（絞り開口形成縁部３２Ｃ）が有効な光量制限絞り開口を形成し、可変開口絞りＶＡの径が中間径から最小径の間では第２の絞り羽根セット３３（絞り開口形成縁部３３Ｃ）が有効な光量制限絞り開口を形成するように切り替えて使用するため、より広い範囲の絞り開口の径において絞り開口形状を円形に近くすることができる。
【００４２】
また、本実施の形態２によれば、第１の絞り羽根セット３２と第２の絞り羽根セット３３が円板状カム板２０を介して互いに反対側に位置していて干渉しないため、複数枚の絞り羽根が重なり合って競り上がるのをより確実に防止することができる。
【００４３】
以上の実施の形態では、第１の絞り羽根セット３２と第２の絞り羽根セット３３の２種類の絞り羽根セットを用いる場合を例示して説明したが、絞り羽根セットは３種類またはそれ以上とすることもできる。絞り羽根セットを３種類とする場合、例えば、実施の形態１と２を組み合わせて、円板状カム板に３種類のカム溝を設け、円板状カム板の一方の側に１種類の絞り羽根セットを位置させ、他方の側に２種類の絞り羽根セットを位置させることが好ましい。
【００４４】
以上の実施形態では、第１の絞り羽根セット３２と第２の絞り羽根セット３３の２種類の絞り羽根セットを使用した場合を例示して説明したが、絞り羽根セットの種類の数はこれに限定されず、３種類以上としてもよい。この場合、絞り羽根セットの種類の数に応じて、極めて円形に近い形状（真円形状）の可変開口絞りが形成されるポイントを増やすことができて有利である。
【００４５】
以上の実施の形態では、第１の絞り羽根セット３２と第２の絞り羽根セット３３を７枚ずつとして合計１４枚の絞り羽根３０を使用した場合を例示して説明したが、絞り羽根の枚数はこれに限定されず適宜変更可能である。
【００４６】
以上の実施の形態では、円板状カム板２０に、第１の絞り羽根セット３２の開閉駆動ダボ３２Ｂが嵌まるカム溝２２と、第２の絞り羽根セット３３の開閉駆動ダボ３３Ｂが嵌まるカム溝２３とを形成している。しかし、円板状カム板を省略して各絞り羽根自体にカム溝を形成し、各絞り羽根の開閉駆動ダボを隣接する絞り羽根のカム溝に嵌める態様も可能である。
【００４７】
以上の実施形態では、円板状回動中心板１０に円形段部１３を一体形成した場合を例示して説明したが、円板状回動中心板１０と、円形段部１３を有する部材とを別部材として構成する態様も可能である。
【００４８】
以上の実施形態では、第１の絞り羽根セット３２と第２の絞り羽根セット３３のうち、可変開口絞りＶＡを形成しない方の絞り羽根セットは、絞り動作中において、可変開口絞りＶＡの外側で僅かに動くようになっている。しかし、例えば円板状カム板２０のカム溝２２、２３の形状を工夫することで、可変開口絞りＶＡを形成しない方の絞り羽根セットが可変開口絞りＶＡの外側で停止（待機）するようにしてもよいし、あるいは可変開口絞りＶＡの外側からさらに最大径方向に戻るように動作させることも可能である。これにより、絞り羽根３０の競り上がり防止効果をより顕著に得ることができる。
【００４９】
以上の実施形態では、Ｆナンバーが８程度のときに第１の絞り羽根セット３２が極めて円形に近い形状（真円形状）の可変開口絞りＶＡを形成し、Ｆナンバーが２２程度のときに第２の絞り羽根セット３３が極めて円形に近い形状（真円形状）の可変開口絞りＶＡを形成する場合を例示して説明した。しかし、第１の絞り羽根セット３２と第２の絞り羽根セット３３が極めて円形に近い形状（真円形状）の可変開口絞りＶＡを形成するポイントはこれに限定されず、種々の変更が可能である。
【符号の説明】
【００５０】
１  絞り装置
１０  円板状回動中心板
１１  光束通過開口
１２  収容凹部
１３  円形段部
１４  回動中心穴
２０  円板状カム板
２１  光束通過開口
２２  カム溝
２２Ａ  絞り開口形成面
２２Ｂ  絞り開口非形成面
２３  カム溝
２３Ａ  絞り開口非形成面
２３Ｂ  絞り開口形成面
３０  絞り羽根
３２  第１の絞り羽根（第１の絞り羽根セット）
３２Ａ  回動中心ダボ
３２Ｂ  開閉駆動ダボ
３２Ｃ  絞り開口形成縁部
３３  第２の絞り羽根（第２の絞り羽根セット）
３３Ａ  回動中心ダボ
３３Ｂ  開閉駆動ダボ
３３Ｃ  絞り開口形成縁部
２  絞り装置
４０  第１の円板状回動中心板
４１  光束通過開口
４２  収容凹部
４３  小径円形段部
４４  大径円形段部
４５  回動中心穴
５０  第２の円板状回動中心板
５１  光束通過開口
５２  収容凹部
５３  回動中心穴
ＶＡ  可変開口絞り
Ｏ  撮影光軸
【図１】
0005594108.tif 000002
【図２】
0005594108.tif 000003
【図３】
0005594108.tif 000004
【図４】
0005594108.tif 000005
【図５】
0005594108.tif 000006
【図６】
0005594108.tif 000007
【図７】
0005594108.tif 000008
【図８】
0005594108.tif 000009
【図９】
0005594108.tif 000010
【図１０】
0005594108.tif 000011